(57)【要約】空気調和機の室内機の開閉ドアユニット及びそれを備えた空気調和機の室内機であって、前記空気調和機の室内機の開閉ドアユニットは開閉ドア取付板、開閉ドア、ガイド部及び開閉ドアを移動するように駆動する駆動ユニットを含み、開閉ドア取付板に収容溝が設けられ、開閉ドア取付板にさらにガイド溝が設けられ、開閉ドアが開閉ドア取付板に隣接する方向と開閉ドア取付板から離れる方向とに移動可能であり、ガイド部と開閉ドアとが接続され、ガイド部が開閉ドアの開閉ドア取付板に向かう側に設けられ、ガイド部がガイド溝内に移動可能に設けられ、駆動ユニットが収容溝内に設けられる。
2021519906.tif 000002
【特許請求の範囲】
【請求項１】
収容溝及びガイド溝が設けられる開閉ドア取付板と、
前記開閉ドア取付板に隣接する方向と前記開閉ドア取付板から離れる方向とに移動可能な開閉ドアと、
前記開閉ドアに接続され、前記開閉ドアの前記開閉ドア取付板に向かう側に位置し、前記ガイド溝内に移動可能に設けられるガイド部と、
前記収容溝内に設けられ、前記開閉ドアを移動するように駆動する駆動ユニットと、を含む、
ことを特徴とする空気調和機の室内機の開閉ドアユニット。
【請求項２】
前記開閉ドア取付板は、
フレームと、
前記フレームに設けられ、かつ前記フレームの横方向における中部に位置し、前記収容溝及び前記ガイド溝が形成されている取付部と、を含む、
ことを特徴とする請求項１に記載の空気調和機の室内機の開閉ドアユニット。
【請求項３】
前記収容溝が前記取付部の前記開閉ドアから離れた側に形成され、前記駆動ユニットが前記収容溝に設けられ、前記駆動ユニットの少なくとも一部が前記収容溝の底壁を貫通して前記開閉ドアに接続される、
ことを特徴とする請求項２に記載の空気調和機の室内機の開閉ドアユニット。
【請求項４】
前記ガイド溝は、前記取付部の前記開閉ドアに向かう側に形成されている、
ことを特徴とする請求項２に記載の空気調和機の室内機の開閉ドアユニット。
【請求項５】
前記ガイド溝は、環状に形成され、かつ前記収容溝の外部を囲むように設けられる、
ことを特徴とする請求項１〜４のいずれか１項に記載の空気調和機の室内機の開閉ドアユニット。
【請求項６】
前記ガイド溝の横断面積は、前記開閉ドアから前記開閉ドア取付板に向かう方向において徐々に減少する、
ことを特徴とする請求項５に記載の空気調和機の室内機の開閉ドアユニット。
【請求項７】
前記ガイド溝は、前記収容溝を囲むように設けられた環状の第１壁及び環状の第２壁によって画定され、前記第２壁が前記第１壁の周方向の外側に嵌合され、前記第１壁が、前記開閉ドアから前記開閉ドア取付板に向かう方向において径方向の外側へ徐々に傾斜し、前記第２壁が、前記開閉ドアから前記開閉ドア取付板に向かう方向において径方向の内側へ徐々に傾斜する、
ことを特徴とする請求項５に記載の空気調和機の室内機の開閉ドアユニット。
【請求項８】
ガイドリングをさらに含み、前記ガイドリングが、前記ガイド溝の前記開閉ドアに向かう開口側に設けられ、前記ガイドリングの内周壁が前記開閉ドアに向かう方向に沿って径方向の内側へ徐々に傾斜する、
ことを特徴とする請求項１〜７のいずれか１項に記載の空気調和機の室内機の開閉ドアユニット。
【請求項９】
前記ガイド部の外周壁と前記ガイドリングの内周壁とは、平行である、
ことを特徴とする請求項８に記載の空気調和機の室内機の開閉ドアユニット。
【請求項１０】
前記ガイドリングの内周壁に位置決め突起が設けられている、
ことを特徴とする請求項８に記載の空気調和機の室内機の開閉ドアユニット。
【請求項１１】
前記開閉ドアは、底板及び蓋板を含み、前記蓋板が、前記底板の前記開閉ドア取付板から離れた側に設けられ、前記蓋板が前記底板に対して取り外し可能であり、前記ガイド部が前記底板の前記開閉ドア取付板に隣接する側に設けられる、
ことを特徴とする請求項１〜１０のいずれか１項に記載の空気調和機の室内機の開閉ドアユニット。
【請求項１２】
前記底板の中部に前記蓋板に向かって突出する突出部が設けられ、前記突出部の前記蓋板から離れた側に取付溝が設けられ、前記ガイド部が前記取付溝内に設けられる、
ことを特徴とする請求項１１に記載の空気調和機の室内機の開閉ドアユニット。
【請求項１３】
前記ガイド部は、底壁及び前記底壁を囲むように周方向に設けられる周壁を含み、前記底壁及び一部の前記周壁が前記取付溝内に収容され、前記周壁が前記ガイド溝内に移動可能に設けられる、
ことを特徴とする請求項１２に記載の空気調和機の室内機の開閉ドアユニット。
【請求項１４】
前記底板と前記ガイド部とが、取り外し可能に接続される、
ことを特徴とする請求項１１に記載の空気調和機の室内機の開閉ドアユニット。
【請求項１５】
一方側が開放された外箱底板部材と、
前記外箱底板部材の開放側に設けられ、吹出口が設けられるパネル部材と、
請求項１〜１４のいずれか１項に記載の空気調和機の室内機の開閉ドアユニットであって、前記開閉ドア取付板が、前記パネル部材の前記外箱底板部材に向かう側に設けられ、  前記開閉ドアが移動可能に前記吹出口を開閉し、前記開閉ドアが前記吹出口を開いたとき、前記開閉ドアが、前記パネル部材の前記外箱底板部材から離れた側に位置する空気調和機の室内機の開閉ドアユニットと、を含む、
ことを特徴とする空気調和機の室内機。
【発明の詳細な説明】
【技術分野】
【０００１】
本発明は空気処理装置の分野に関し、特に空気調和機の室内機の開閉ドアユニット及びそれを備えた空気調和機の室内機に関する。
【背景技術】
【０００２】
空気調和機の運転が停止したときに、空気中の微粒子汚染物質が吹出口に沿って空気調和機の内部に入り、吹き出した空気の品質に影響を与えることを防ぐために、空気調和機の運転が停止したときに吹出口を閉じるように、一般的に開閉ドアが配置されている。しかしながら、従来の技術では、開閉ドアの開閉中、駆動機構により開閉ドアの位置制限及びガイドを行うが、位置制限及びガイドの効果は良くなかった。
【発明の概要】
【０００３】
本発明は、従来の技術に存在する技術的問題の少なくとも１つを解決することを目的とする。このために、本発明は、移動時の安定性が良く、移動軌跡を制御しやすい空気調和機の室内機の開閉ドアユニットを提供する。
【０００４】
本発明は、前記空気調和機の室内機の開閉ドアユニットを備えた空気調和機の室内機をさらに提供する。
【０００５】
本発明の第１態様の実施例に係る空気調和機の室内機の開閉ドアユニットによれば、前記空気調和機の室内機の開閉ドアユニットは開閉ドア取付板、開閉ドア、ガイド部及び前記開閉ドアを移動するように駆動する駆動ユニットを含み、前記開閉ドア取付板に収容溝が設けられ、前記開閉ドア取付板にさらにガイド溝が設けられ、前記開閉ドアが前記開閉ドア取付板に隣接する方向と前記開閉ドア取付板から離れる方向とに移動可能であり、前記ガイド部が前記開閉ドアに接続され、前記ガイド部が前記開閉ドアの前記開閉ドア取付板に向かう側に設けられ、前記ガイド部が前記ガイド溝内に移動可能に設けられ、前記駆動ユニットが前記収容溝内に設けられる。
【０００６】
本発明の実施例に係る空気調和機の室内機の開閉ドアユニットによれば、駆動ユニットが開閉ドアを前方又は後方へ移動させている過程において、ガイド部がガイド溝に沿って摺動可能であり、開閉ドアがガイド部に従って摺動可能であるため、開閉ドアが移動するときに、優れた安定性を有する。また、ガイド部がガイド溝に沿って摺動している過程において、ガイド溝がガイド部に対し位置制限可能であり、開閉ドアの移動軌跡を制御し、開閉ドアの移動軌跡をより精確にする。
【０００７】
また、本発明に係る空気調和機の室内機の開閉ドアユニットは、次の追加の技術的特徴を持ってもよい。
【０００８】
本発明のいくつかの実施例では、前記開閉ドア取付板は、フレーム及び取付部を含み、前記取付部が前記フレームに設けられ、かつ前記フレームの横方向における中部に位置し、前記収容溝及び前記ガイド溝はいずれも前記取付部に形成されている。
【０００９】
本発明のいくつかの例では、前記収容溝が前記取付部の前記開閉ドアから離れた側に形成され、前記駆動ユニットが前記収容溝に設けられ、前記駆動ユニットの少なくとも一部が前記収容溝の底壁を貫通して前記開閉ドアに接続される。
【００１０】
本発明のいくつかの例では、前記ガイド溝は、前記取付部の前記開閉ドアに向かう側に形成されている。
【００１１】
本発明のいくつかの実施例では、前記ガイド溝は、環状に形成され、かつ前記収容溝の外部を囲むように設けられる。
【００１２】
必要に応じて、前記ガイド溝の横断面積は、前記開閉ドアから前記開閉ドア取付板に向かう方向において徐々に減少する。
【００１３】
必要に応じて、前記ガイド溝は、前記収容溝を囲むように設けられた環状の第１壁及び環状の第２壁によって画定され、前記第２壁が、前記第１壁の周方向の外側に嵌合され、前記第１壁が、前記開閉ドアから前記開閉ドア取付板に向かう方向において径方向の外側へ徐々に傾斜し、前記第２壁が、前記開閉ドアから前記開閉ドア取付板に向かう方向において径方向の内側へ徐々に傾斜する。
【００１４】
本発明のいくつかの実施例では、前記空気調和機の室内機の開閉ドアユニットはさらにガイドリングを含み、前記ガイドリングが前記ガイド溝の前記開閉ドアに向かう開口側に設けられ、前記ガイドリングの内周壁が前記開閉ドアに向かう方向に沿って径方向の内側へ徐々に傾斜する。
【００１５】
必要に応じて、前記ガイド部の外周壁と前記ガイドリングの内周壁とは、平行である。
【００１６】
必要に応じて、前記ガイドリングの内周壁に位置決め突起が設けられる。
【００１７】
本発明のいくつかの実施例では、前記開閉ドアは底板及び蓋板を含み、前記蓋板が前記底板の前記開閉ドア取付板から離れた側に設けられ、前記蓋板が前記底板に対して取り外し可能であり、前記ガイド部が前記底板の前記開閉ドア取付板に隣接する側に設けられる。
【００１８】
必要に応じて、前記底板の中部に前記蓋板に向かって突出する突出部が設けられ、前記突出部の前記蓋板から離れた側に取付溝が設けられ、前記ガイド部が前記取付溝内に設けられる。
【００１９】
さらに、前記ガイド部は底壁及び前記底壁を囲むように周方向に設けられる周壁を含み、前記底壁及び一部の前記周壁が前記取付溝内に収容され、前記周壁が前記ガイド溝内に移動可能に設けられる。
【００２０】
必要に応じて、前記底板と前記ガイド部とが、取り外し可能に接続される。
【００２１】
本発明はさらに上記実施例の空気調和機の室内機を備えた空気調和機の室内機を提供する。
【００２２】
本発明の第２の態様の実施例に係る空気調和機の室内機は、外箱底部部材、パネル部材及び空気調和機の室内機の開閉ドアユニットを含み、前記外箱底板部材の一方側が開放され、前記パネル部材が前記外箱底板部材の開放側に設けられ、前記パネル部材に吹出口が設けられ、前記開閉ドア取付板が前記パネル部材の前記外箱底板部材に向かう側に設けられ、前記開閉ドアが移動可能に前記吹出口を開閉し、前記開閉ドアが前記吹出口を開けるとき、前記開閉ドアが前記パネル部材の前記外箱底板部材から離れた側に位置する。
【００２３】
本発明の実施例に係る空気調和機の室内機によれば、上記実施例の空気調和機の室内機の開閉ドアユニットを設けることにより、吹出口をよりよく閉じるとともに、開閉ドアが開放位置と閉鎖位置との間で移動するとき、より安定的で、位置制限効果に優れるため、開閉ドアが閉鎖位置にあるとき、開閉ドアとパネル部材との間の係合隙間がより均一で、空気調和機の室内機の外観をより美しくする。
【００２４】
本発明の追加の態様及び利点は、以下の説明において部分的に提供され、一部が以下の説明から明らかになるか、又は本発明の実践から分かる。
【図面の簡単な説明】
【００２５】
本発明の上記及び／又は追加の態様及び利点は、以下の図面を参照した実施例の説明から明らかになり、理解しやすくなる。
【図１】本発明の実施例に係る空気調和機の室内機の斜視図である。
【図２】本発明の実施例に係る空気調和機の室内機の断面図である。
【図３】本発明の実施例に係る空気調和機の室内機の開閉ドアユニットの構造分解図である。
【図４】本発明の実施例に係る空気調和機の室内機の開閉ドアユニットの開閉ドアとガイド部を開閉ドア取付板から取り外した構造概略図である。
【図５】本発明の実施例に係る空気調和機の室内機の開閉ドアユニットの開閉ドアが開放位置にある断面図である。
【図６】図５における領域Ａの拡大図である。
【図７】図５における領域Ｂの拡大図である。
【図８】本発明の実施例に係る空気調和機の室内機の開閉ドアユニットの開閉ドアが閉鎖位置にある断面図である。
【図９】本発明の実施例に係る空気調和機の室内機の開閉ドアユニットの開閉ドア取付板の構造概略図である。
【発明を実施するための形態】
【００２６】
以下、本発明の実施例を詳細に説明し、前記実施例の例は、図面に示され、図面を通じて同じ又は類似した符号は、同じ又は類似した素子或いは同じ又は類似した機能を有する素子を示す。以下、図面を参照しながら説明する実施例は、例示的なものであり、本発明を解釈することを意図するが、本発明を制限するものとして理解すべきではない。
【００２７】
本発明の説明において、「横方向」、「長さ」、「上」、「下」、「前」、「後」、「左」、「右」、「水平」、「底部」、「内側」、「外側」、「径方向」、「周方向」などの用語で示される方位又は位置関係は、図面に示される方位又は位置関係に基づくものであり、本発明の説明及び説明の簡略化のために過ぎず、示される装置又は要素が特定方位を有したり、特定方位で構成又は操作されたりすることを指示又は示唆するものではなく、よって、本発明に対する限定としては理解されない。また、「第１」及び「第２」により限定される特徴は、１つ以上のこの特徴を明示的に、あるいは黙示的に有してもよい。本発明の説明において、「複数」は、特に明記しない限り２つ又は２つ以上を意味する。
【００２８】
本発明の説明において、明確に指定又は限定しない限り、「取り付け」、「連結」、「接続」という用語は、広義で理解すべきであり、例えば、固定接続してもよく、取り外し可能に接続してもよく、又は一体に接続してもよく、機械的又は電気的に接続してもよく、直接接続してもよく、中間媒体を介して間接的に接続してもよく、２つの要素の内部が連通してもよい。当業者であれば、具体的な状況に応じて上記用語の本発明における具体的な意味を理解し得る。
【００２９】
以下、図１〜図９を参照しながら本発明の実施例に係る空気調和機の室内機の開閉ドアユニット１００を説明する。
【００３０】
図３〜図５に示すように、本発明の実施例に係る空気調和機の室内機の開閉ドアユニット１００は、開閉ドア取付板１、開閉ドア２、ガイド部３及び駆動ユニット４を含み、開閉ドア取付板１に収容溝１２１が設けられ、開閉ドア取付板１にさらにガイド溝１２２が設けられ、開閉ドア２が開閉ドア取付板１に隣接する方向と開閉ドア取付板１から離れる方向とに移動可能であり、ガイド部３が開閉ドア２に接続され、ガイド部３が開閉ドア２の開閉ドア取付板１に向かう側に位置し、ガイド部３がガイド溝１２２内に移動可能に設けられ、駆動ユニット４が開閉ドア２を移動させ、駆動ユニット４が収容溝１２１内に設けられる。
【００３１】
即ち、開閉ドア取付板１に収容溝１２１が設けられ、収容溝１２１内に駆動ユニット４が取り付け可能であり、駆動ユニット４が開閉ドア２と係合して開閉ドア２を駆動し、開閉ドア２を開閉ドア取付板１に向かって移動させるか、開閉ドア２を開閉ドア取付板１から離れる方向に移動させる。
【００３２】
開閉ドア２の開閉ドア取付板１に向かう側にガイド部３が設けられ、開閉ドア取付板１の開閉ドア２に向かう側にガイド溝１２２が設けられ、ガイド部３がガイド溝１２２と係合されるため、開閉ドア２が移動している過程において、ガイド部３がガイド溝１２２に沿って摺動可能であり、開閉ドア２の安定性に優れている。
【００３３】
以下、説明の便宜上、図５及び図６に示すように、開閉ドア２の開閉ドア取付板１に向かう方向が後方であり、開閉ドア取付板１の開閉ドア２に向かう方向が前方であり、駆動ユニット４が開閉ドア２を前方又は後方に向かって移動させる。
【００３４】
このように、本発明の実施例に係る空気調和機の室内機の開閉ドアユニット１００によれば、駆動ユニット４が開閉ドア２を駆動して前方又は後方へ移動させている過程において、ガイド部３がガイド溝１２２に沿って摺動可能であり、開閉ドア２がガイド部３に従って摺動可能であるため、開閉ドア２が移動するとき、より優れた安定性を有する。また、ガイド部３がガイド溝１２２に沿って摺動している過程において、ガイド溝１２２がガイド部３を位置制限可能であり、開閉ドア２の移動軌跡を制御し、開閉ドア２の移動をより精確にする。
【００３５】
本発明のいくつかの実施例では、図３及び図４に示すように、開閉ドア取付板１はフレーム１１及び取付部１２を含み、取付部１２がフレーム１１に設けられてフレーム１１の横方向における中部に位置し、ここで、横方向は図１及び図２に示される左右方向を指し、これにより、左右方向において、取付部１２がフレーム１１の中部に設けられる。収容溝１２１及びガイド溝１２２も取付部１２に形成されており、空気調和機の室内機の開閉ドアユニット１００内の部品数を削減し、組み立てやすいとともに、図５に示すように、収容溝１２１とガイド溝１２２とが入れ子式に配置されてもよく、空気調和機の室内機の開閉ドアユニット１００の内部空間を節約でき、その内部レイアウトに有利である。
【００３６】
本発明のいくつかの例では、図５に示すように、収容溝１２１が取付部１２の開閉ドア２から離れた側に形成され、駆動ユニット４が収容溝１２１内に設けられ、駆動ユニット４の少なくとも一部が収容溝１２１の底壁３１を貫通した後、開閉ドア２に接続される。即ち、駆動ユニット４は、一部が収容溝１２１の底壁３１を貫通して開閉ドア２に接続されてもよく、全部が収容溝１２１の底壁３１を貫通して開閉ドア２に接続されてもよい。
【００３７】
必要に応じて、図３に示すように、収容溝１２１の底壁３１に伸縮溝１２１１が設けられ、駆動ユニット４がモータ、ギア及びラック４１を含み、ラック４１が伸縮溝１２１１を貫通して開閉ドア２に接続され、開閉ドア２を駆動して前後方向に移動させる。このとき、駆動ユニット４が取付部１２とフレーム１１との間に規制されるため、収容溝１２１が駆動ユニット４を収容しやすく、駆動ユニット４及び空気調和機の室内機の開閉ドアユニット１００内の他の部品の摩耗を防止することができる。さらに、伸縮溝１２１１及びラック４１は複数設けられてもよく、複数のラック４１が開閉ドア２を前後方向に移動させ、より安定的する。
【００３８】
必要に応じて、図３〜図８に示すように、ガイド溝１２２は取付部１２の開閉ドア２に向かう側に形成されている。図５に示すように、ガイド溝１２２は、実質的に前後方向に延びているため、取り付け部１２の前後方向において、ガイド溝１２２の長さをより長く配置しやすく、これにより、ガイド溝１２２がガイド部３をガイドしやすくなり、ガイド溝１２２が、ガイド部３に対してより良い位置制限効果を有する。同時に、実質的に水平方向に延びているガイド溝１２２は、ガイド溝１２２とガイド部３との協働も促進する。
【００３９】
本発明のいくつかの実施例では、図５〜図９に示すように、ガイド溝１２２は環状に形成して収容溝１２１の外側を囲むように配置されている。これにより、収容溝１２１内の駆動ユニット４はガイド溝１２２の環状穴内から突出可能で、ガイド溝１２２とガイド部３との係合に影響を与えない。また、環状のガイド溝１２２は軸方向及び径方向にガイド部３を位置制限することができ、ガイド溝１２２がガイド部３に対してより良い位置制限効果を果たし、移動軌跡をより精確にする。
【００４０】
さらに、図５〜図８に示すように、ガイド溝１２２の横断面積が開閉ドア２から開閉ドア取付板１に向かって次第に減少し、即ち、ガイド溝１２２の横断面積が開閉ドア２に近接する一端で最も大きいため、ガイド部３とガイド溝１２２とが係合しやすい。ガイド溝１２２の横断面積が開閉ドア取付板１に近接する一端で最も小さいため、ガイド部３がガイド溝１２２から開閉ドア取付板１に向かって移動するとき、ガイド部３とガイド溝１２２とがより密着に係合され、ガイド部３に対するガイド溝１２２の位置制限効果をさらに高め、開閉ドア２の移動軌跡を制御しやすい。ここで、断面の位置する平面は、図１に示すように、上下方向及び左右方向に延びる直線からなる平面である。
【００４１】
必要に応じて、図５〜図８に示すように、ガイド溝１２２は収容溝１２１を囲むように設けられる環状の第１壁１２２１及び環状の第２壁１２２２により画定され、第２壁１２２２が第１壁１２２１の周方向の外側に嵌合され、したがって、いくつかの例では、ガイド部３とガイド溝１２２とが係合されるとき、ガイド部３が第１壁１２２１の外壁面に沿って摺動可能であり、他の例では、ガイド部３が第２壁１２２２の内壁面に沿って摺動可能であり、またいくつかの例では、ガイド部３が第２壁１２２２の内壁面と第１壁１２２１の外壁面との間で摺動可能である。第１壁１２２１は開閉ドア２から開閉ドア取付板１に向かう方向において径方向の外側へ傾斜し、第２壁１２２２は開閉ドア２から開閉ドア取付板１に向かう方向において径方向の内側へ傾斜する。これにより、第１壁１２２１及び第２壁１２２２からなるガイド溝１２２は、図５に示される断面図内に、前後方向に沿って延在し、開口部がガイド部３に向かうトランペット状に形成されるため、ガイド部３がガイド溝１２２と係合しやすく、ガイド溝１２２の第１壁１２２１又は第２壁１２２２と衝突し難い。
【００４２】
本発明のいくつかの実施例では、図３〜図５に示すように、開閉ドア２は底板２１及び蓋板２２を含み、蓋板２２が底板２１の開閉ドア取付板１から離れた側に設けられ、蓋板２２が底板２１に対して取り外し可能であり、ガイド部３が底板２１の開閉ドア取付板１に隣接する側に設けられる。つまり、蓋板２２を底板２１に係合して取り付けた後、蓋板２２と底板２１とを取り外すことができる。例えば、底板２１を蓋板２２から取り外し、ガイド部３を底板２１に取り付けて蓋板２２を底板２１に取り付けることができるため、開閉ドア２の外観がより美しく、開閉ドア２の外観に影響を与えず、ガイド部３と開閉ドア２との取り付け効率を高めることができる。
【００４３】
さらに、図３〜図５に示すように、底板２１の中部に、蓋板２２に向かって突出した突出部２１１が設けられ、突出部２１１の蓋板２２から離れた側に取付溝２１１１が設けられ、ガイド部３が取付溝２１１１内に設けられる。即ち、取付溝２１１１が底板２１の中部に形成され、蓋板２２の方向に向かって延在可能であり、取付溝２１１１の開口部が開閉ドア取付板１に対向し、ガイド部３が取付溝２１１１によって底板２１に取り付けられる。
【００４４】
さらに、図３〜図５に示すように、ガイド部３は底壁３１及び底壁３１を囲むように周方向に設けられる周壁３２を含み、底壁３１及び一部の周壁３２が取付溝２１１１内に収容され、周壁３２がガイド溝１２２内に移動可能に設けられる。即ち、ガイド部３は、開口部が開閉ドア取付板１に向かう円筒状に形成され、ガイド部３の底壁３１が取付溝２１１１内に挿入して、取付溝２１１１の底壁３１に取り付けられ、ガイド部３の周壁３２の前後方向における延伸長さを長くできるため、ガイド部３とガイド溝１２２との係合及び位置制限が容易になり、開閉ドア２の移動軌跡をよりよく制御することができる。
【００４５】
本発明のいくつかの例では、底板２１とガイド部３とが、取り外し可能に接続される。したがって、底板２１とガイド部３とを着脱しやすい。例えば、図５及び図６に示すように、ガイド部３の底壁３１に係合溝３１１が形成され、突出部２１１の開閉ドア取付板１に向かう側に係合突起２１１２が形成され、係合突起２１１２と係合溝３１１との係合により、底板２１とガイド部３とを迅速に着脱することができ、着脱効率が高い。
【００４６】
本発明のいくつかの実施例では、空気調和機の室内機の開閉ドアユニット１００はさらにガイドリング６を含み、ガイドリング６が開閉ドア２に向かうガイド溝１２２の開口側に設けられ、ガイドリング６の内周壁が開閉ドアに向かう方向に沿って径方向の内側へ徐々に傾斜する。ここで、内周壁とは、ガイド部３とガイド溝１２２とが係合されるとき、ガイドリング６のガイド部３に向かう内壁面である。即ち、ガイドリング６がガイド溝１２２と開閉ドア２との間に設けられ、図５に示すように、開閉ドア２が前から後ろへ移動している過程において、ガイド部３がまずガイドリング６と係合して、ガイドリング６の内壁面に沿ってガイド溝１２２に向かって摺動するため、ガイド部３とガイド溝１２２との係合がより容易になる。ガイドリング６の内壁面が後方から前方に向かう過程で斜め下方に延び、ガイド部３がガイドリング６に沿ってガイド溝１２２に入った後、ガイドリング６がガイド溝１２２と係合してガイド部３を位置制限し、開閉ドア２の移動をよりよく制御する。
【００４７】
必要に応じて、図５〜図９に示すように、ガイドリング６が後方から前方へ延在可能であり、かつ前後方向において、第２壁１２２２にガイドリング６の長さを加えて、第１壁１２２１の長さよりも長く、これにより、ガイドリング６がガイド部３の前後方向におけるガイド長さを増加することができ、開閉ドア２の開放位置と閉鎖位置との間の移動を容易にする。さらに、開閉ドア２が開放位置と閉鎖位置との間を移動している際、ガイド部３が常にガイドリング６と係合され、ガイド部３が移動中に、ガイド溝１２２から滑り出してずれて、ガイド溝１２２と再度係合し難くなる問題を防止した。
【００４８】
必要に応じて、ガイド部３の外周壁とガイドリング６の内周壁とは平行であり、なお、ガイド部３の外周壁とは、ガイド部３がガイド溝１２２と係合されるとき、ガイドリング６に向かうガイド部３の外壁面であり、ガイド部３の外壁面とガイドリング６の内壁面とは平行である。これにより、ガイド部３がガイドリング６の内壁面に沿ってよりよく摺動することができる。
【００４９】
必要に応じて、ガイドリング６の内周壁に位置決め突起６１が設けられ、位置決め突起６１がガイドリング６とガイド部３との間の係合隙間を低減し、ガイド部３をさらに位置制限することができ、ガイド部３に対するガイドリング６の位置制限効果を高め、開閉ドア２の開放位置と移動位置との間の移動を制御し、ガイド部３の揺れを防止することができる。
【００５０】
本発明は上記実施例の空気調和機の室内機の開閉ドアユニット１００及びそれを備えた空気調和機の室内機１０００をさらに提供する。
【００５１】
図１及び図２に示すように、本発明の実施例に係る空気調和機の室内機１０００は、外箱底板部材２００、パネル部材３００及び空気調和機の室内機の開閉ドアユニット１００を含み、外箱底板部材２００の一方側が開放し、パネル部材３００が外箱底板部材２００の開放側に設けられ、パネル部材３００に吹出口５が設けられ、空気調和機の熱交換によって生成された空気を、吹出口から排出することができる。
【００５２】
開閉ドア取付板１がパネル部材３００の外箱底板部材２００に向かう側に設けられ、開閉ドア２が移動可能に吹出口５を開閉し、開閉ドア２が吹出口５を開けるとき、開閉ドア２がパネル部材３００の外箱底板部材２００から離れた側に位置する。即ち、開閉ドア２が前後方向に移動している際に、開放位置及び閉鎖位置があり、開閉ドア２が閉鎖位置にあると、吹出口５を閉じ、空気中の粒子状汚染物質が空気調和機の室内機１０００の内部に侵入して、空気調和機の室内機１０００から吹き出した空気の品質に影響を与えることを防止し、開閉ドア２が閉鎖位置から開放位置へ移動している際、パネル部材３００の前側まで前方へ移動することができる。
【００５３】
このように、本発明の実施例に係る空気調和機の室内機１０００によれば、上記実施例の空気調和機の室内機の開閉ドアユニット１００を設けることにより、吹出口５をよりよく閉じるとともに、開閉ドア２が開放位置と閉鎖位置との間で移動する際、より安定的であり、かつ位置制限効果に優れるため、開閉ドア２が閉鎖位置にある場合、開閉ドア２とパネル部材３００との間の係合隙間がより均一であり、空気調和機の室内機１０００の外観がより美しくなる。
【００５４】
本発明の実施例に係る空気調和機の室内機１０００の他の構成及び操作は、当業者に知られており、ここで詳細な説明を省略する。
【００５５】
本明細書の説明においては、参照用語「いくつかの実施例」、「必要に応じて」、「さらに」又は「いくつかの例」などの説明は、該実施例又は例を参照しながら説明した特定の性質、構造、材料又は特徴が、本発明の少なくとも１つの実施例又は例に含まれることを意味している。本明細書において、上記用語の模式的な表現は同じ実施例又は例に、必ずしも言及しているというわけではない。また、説明した特定の性質、構造、材料又は特徴は任意の１つ又は複数の実施例又は例において、適切な方法で組み合わせてもよい。
【００５６】
以上、本発明の実施例を例示して説明したが、当業者であれば、本発明の原理及び趣旨から逸脱せずに、これらの実施例に対して様々な変更、修正、置換や変形を行うことができ、本発明の範囲が、特許請求の範囲およびその同等物によって定義されると理解されたい。
【符号の説明】
【００５７】
１００  空気調和機の室内機の開閉ドアユニット
１  開閉ドア取付板
１１  フレーム
１２  取付部
１２１  収容溝
１２１１  伸縮溝
１２２  ガイド溝
１２２１  第１壁
１２２２  第２壁
２  開閉ドア
２１  底板
２１１  突出部
２１１１  取付溝
２１１２  係合突起
２２  蓋板
３  ガイド部
３１  底壁
３１１  係合溝
３２  周壁
４  駆動ユニット
４１  伸縮ロッド
６  ガイドリング
６１  位置決め突起
１０００  空気調和機の室内機
２００  外箱底板部材
３００  パネル部材
５  吹出口
【図１】
2021519906.tif 000003
【図２】
2021519906.tif 000004
【図３】
2021519906.tif 000005
【図４】
2021519906.tif 000006
【図５】
2021519906.tif 000007
【図６】
2021519906.tif 000008
【図７】
2021519906.tif 000009
【図８】
2021519906.tif 000010
【図９】
2021519906.tif 000011
【国際調査報告】
2021519906.tif 000012
2021519906.tif 000013
2021519906.tif 000014
2021519906.tif 000015